(57)【要約】 【課題】  片手でペーパ片を取り出せる使い捨てペーパのロールを提供すること。【解決手段】  本発明の使い捨てペーパのロールは、中心軸を有する剛体材料製の内筒と、前記内筒上に重ねて巻かれる少なくとも２枚のペーパ片とを有する。前記内筒の中心軸に直交する断面は、その長さ方向に渡って円形である。前記ペーパ片の１つが取り除かれた時に、前記ペーパ片のロールは回転する。前記ペーパ片は、円筒状で、前記内筒の中心軸の周囲を螺旋状の断面を有し、前記ペーパ片は、その幅方向では、完全にオーバーラップし、前記ペーパ片は、その長さ方向では、隣接するペーパ片に部分的にオーバーラップする。このようなペーパ・ロールを保持するディスペンサは、ペーパ片が引き出された時に、ロールの回転を抑制する重しあるいはスプリングを有する。【選択図】  図８
2010508871.tif 000002
【特許請求の範囲】
【請求項１】
（ａ）  中心軸を有する剛体材料製の内筒と、
（ｂ）  前記内筒上に重ねて巻かれる少なくとも２枚のペーパ片と、
からなる使い捨てのペーパ片のロールにおいて、
前記内筒の中心軸に直交する断面は、その長さ方向に渡って円形であり、
前記ペーパ片の１つが取り除かれた時に、前記ペーパ・ロールは回転し、
（i）前記ペーパ片は、円筒状で、前記内筒の中心軸の周囲で螺旋状の断面を有し、
（ii）前記ペーパ片は、その幅方向では、完全にオーバーラップし、
（iii）前記ペーパ片は、その長さ方向では、隣接するペーパ片に部分的にオーバーラップする
ことを特徴とする使い捨てペーパのロール。
【請求項２】
前記ペーパ片は、外巻きにパッケージされる
ことを特徴とする請求項１記載の使い捨てペーパのロール。
【請求項３】
前記ペーパ片は、内巻きにパッケージされる
ことを特徴とする請求項１記載の使い捨てペーパのロール。
【請求項４】
（ａ）  使い捨てペーパ・ロールと、
前記使い捨てペーパ・ロールは、
（ｉ）  中心軸を有する剛体材料製の内筒と、
（ｉｉ）  前記内筒上に重ねて巻かれる少なくとも２枚のペーパ片と、
からなり、前記内筒の中心軸に直交する断面は、その長さ方向に渡って円形であり、前記ペーパ片の１つが取り除かれた時に、前記ペーパ・ロールは回転し、
（Ａ）前記ペーパ片は、円筒状で、前記内筒の中心軸の周囲で螺旋状の断面を有し、
（Ｂ）前記ペーパ片は、その幅方向では、完全にオーバーラップし、
（Ｃ）前記ペーパ片は、その長さ方向では、隣接するペーパ片に部分的にオーバーラップし、
（ｂ）  前記使い捨てペーパ・ロールを搭載するアームと、
前記内筒は、前記アームに搭載され、前記ペーパ・ロールは回転運動をし、
（ｃ）  前記ペーパ・ロールの表面の少なくとも一部に力を加える手段と、
を有し、
前記ペーパ片は、前記ペーパ・ロール上の外側位置にある
ことを特徴とする使い捨てペーパロール保持用ディスペンサ。
【請求項５】
ペーパ・ロールに力をかける手段を有する使い捨てペーパロール保持用ディスペンサにおいて、
前記ペーパ・ロールに力をかける手段は、自己回転する円筒状重しである
ことを特徴とする使い捨てペーパロール保持用ディスペンサ。
【請求項６】
ペーパ・ロールに力をかける手段を有する使い捨てペーパロール保持用ディスペンサにおいて、
前記ペーパ・ロールに力をかける手段は、前記ディスペンサの本体と前記ペーパ・ロールを保持するアームとの間に配置されるスプリングである
ことを特徴とする使い捨てペーパロール保持用ディスペンサ。
【請求項７】
使い捨てペーパ・ロールを使用する方法において、
（ａ）  以下の（ｉ）と（ｉｉ）とからなる使い捨てのペーパ・ロールを用意するステップと、
（ｉ）  中心軸を有する剛体材料製の内筒と、
（ｉｉ）  前記内筒上に重ねて巻かれる少なくとも２枚のペーパ片と、
前記内筒の中心軸に直交する断面は、その長さ方向に渡って円形であり、
前記ペーパ片の１つが取り除かれた時に、前記ペーパ・ロールは回転し、
（Ａ）前記ペーパ片は、円筒状で、前記内筒の中心軸の周囲で螺旋状の断面を有し、
（Ｂ）前記ペーパ片は、その幅方向では、完全にオーバーラップし、
（Ｃ）前記ペーパ片は、その長さ方向では、隣接するペーパ片に部分的にオーバーラップし、
（ｂ）  前記使い捨てペーパ・ロールを使い捨てペーパロール保持用ディスペンサに搭載するステップと、
（ｃ）  前記使い捨てペーパ・ロールから、紙片を取り出すステップと
を有する
ことを特徴とする使い捨てペーパロールを使用する方法。
【発明の詳細な説明】
【技術分野】
【０００１】
本発明は、使い捨て（の衛生手ふき）ペーパのロールに関する。
【背景技術】
【０００２】
本発明は、特に使用する前に紙を破ることなく、ペーパ片を取り出せるトイレット・ペーパまたはペーパー・タオルのロールに関する。手を拭くために、多くの種類のペーパが用いられている。種々のペーパー・タオルのパッケージが市販されている。その種類は、ペーパー・タオルの１本のロールから高品質のパッケージされた濡れタオルまであり、一時に１枚のタオルを取り出すことができるようになっている。これらのパッケージは、１枚のタオルを取り出す際に、それにつられてもう一枚のタオルが出てきてしまう場合には、非効率的であり高価ものになってしまう。手を拭うために、使い捨てのペーパ片を切り取ることを容易にするために、一定間隔で穴の開いたラインを有するペーパを重ねて巻いてパッケージすることは、現在市販されている最も一般的な衛生用手ふきペーパの形態である。
【０００３】
このようなペーパ・ロールは、適宜のサイズのディスペンサ（例えば洗面室内あるいは手洗い場所の近傍に置かれたトイレット・ペーパのディスペンサ）の中に、配置される。より優れた品質（例、紙の強度、寸法、柔らかさ、拭き具合、吸水性）の紙を開発する多くの努力がなされており、これは時に矛盾することであるが、製造コスト等を考慮して、ペーパー・ロールの開発がなされている。
【０００４】
図１は、従来技術に係る標準のトイレット・ペーパ・ディスペンサ１０１に配置されたトイレット・ペーパ・ロール１００を示す。このトイレット・ペーパ・ロール１００は、トイレット・ペーパ１０を有する。このトイレット・ペーパ１０には、一定間隔で切り取り孔ライン１１が形成され、所望の切り取りラインの場所で切り取れるようになっている。トイレット・ペーパは、長い連続した紙で内筒１２上に巻かれている。同図から分かるように、断面が円形のアーム１３が内筒１２を貫通する。このアーム１３は、トイレット・ペーパ・ディスペンサ１０１の一部を構成する。切り取るべき長さの紙を露出するために、トイレット・ペーパを引くと、トイレット・ペーパ・ロール１００は、アーム１３の周囲を回転する。
【０００５】
図２は、従来技術に係る衛生トイレット・ペーパ・ロール１０２を示す。この衛生トイレット・ペーパ・ロール１０２の上にカッター２０が配置されている。このロールには、幅方向にミシン穴が開けられているが、これは必ずしも必要ではない。その理由は、この紙は、ペーパ１４をカッターの方向に強く引くことにより切れるからである。このカッターは、同図に示すように、ナイフあるいは鋸歯２１を有するような重い剛性材料から形成される。
【０００６】
多くの場合において、紙の一部を切り取れるよう、ロールに連続して紙を巻き付けてパッケージすることは、不都合であり、時に使用できないことがある。所望の場所で紙を切り取るためには、両手を使用することが必要である。そのため、身体障害者は、このようなロールを使用できないことがある。
【０００７】
連続する紙のロールを使用することは、ユダヤ教徒にとって問題もある。ユダヤ教によれば、紙を切ることは、Shabbat（ユダヤ教の安息日）と休日では、禁止されているからである。
【発明の開示】
【発明が解決しようとする課題】
【０００８】
従来のトイレット・ペーパと同一の品質の衛生手ふきペーパ片を切り裂くことなく、片手で切り取れる衛生手ふきペーパのロールを提供することは、必要かつ望ましいことである。
【０００９】
本発明の目的は、片手で衛生手ふきペーパ片を切り取れるペーパのロールを提供することである。本発明の衛生手ふきペーパのロールは、十分な大きさに予め切り取ったペーパ片を有する。各衛生手ふきペーパ片が、次の衛生手ふきペーパ片がその上に重ねられるように、内筒の周囲に（すなわち内筒の中心軸に対し、衛生手ふきペーパの厚さに等しい相対的な距離で）巻かれる。この構成により、全てのペーパ片をパッケージし、そして次はそれらを順番に取り出せるようになる。
【課題を解決するための手段】
【００１０】
本発明の一実施例の特徴によれば、（ａ）  中心軸を有する剛体材料製の内筒と、（ｂ）  前記内筒上に重ねて巻かれる少なくとも２枚のペーパ片とからなる使い捨てのペーパ片のロールにおいて、前記内筒の中心軸に直交する断面は、その長さ方向に渡って円形であり、前記ペーパ片の１つが取り除かれた時に、前記ペーパ・ロールは回転し、（i）前記ペーパ片は、円筒状で、前記内筒の中心軸の周囲で螺旋状の断面を有し、（ii）前記ペーパ片は、その幅方向では、完全にオーバーラップし、（iii）前記ペーパ片は、その長さ方向では、隣接するペーパ片に部分的にオーバーラップする。
【００１１】
本発明の更なる特徴によれば、前記ペーパ片は、外巻きにパッケージされる。
【００１２】
本発明の更なる特徴によれば、前記ペーパ片は、内巻きにパッケージされる。
【００１３】
本発明の他の実施例の特徴によれば、（ａ）  使い捨てペーパ・ロールと、（ｂ）  前記使い捨てペーパ・ロールを搭載するアームと、（ｃ）  前記ペーパ・ロールの表面の少なくとも一部に力を加える手段とを有する。前記使い捨てペーパ・ロールは、（ｉ）  中心軸を有する剛体材料製の内筒と、（ｉｉ）  前記内筒上に重ねて巻かれる少なくとも２枚のペーパ片と、からなり、前記内筒の中心軸に直交する断面は、その長さ方向に渡って円形であり、前記ペーパ片の１つが取り除かれた時に、前記ペーパ・ロールは回転し、（Ａ）前記ペーパ片は、円筒状で、前記内筒の中心軸の周囲で螺旋状の断面を有し、（Ｂ）前記ペーパ片は、その幅方向では、完全にオーバーラップし、（Ｃ）前記ペーパ片は、その長さ方向では、隣接するペーパ片に部分的にオーバーラップし、前記ペーパ片は、前記ペーパ・ロール上の外側位置にあり、前記内筒は、前記アームに搭載され、前記ペーパ・ロールは回転運動をする。
【００１４】
本発明の更なる特徴によれば、ペーパ・ロールに力をかける手段を有する使い捨てペーパロール保持用ディスペンサにおいて、前記ペーパ・ロールに力をかける手段は、自己回転する円筒状重しである。
【００１５】
本発明の更なる特徴によれば、ペーパ・ロールに力をかける手段を有する使い捨てペーパロール保持用ディスペンサにおいて、前記ペーパ・ロールに力をかける手段は、前記ディスペンサの本体と前記ペーパ・ロールを保持するアームとの間に配置されるスプリングである。
【００１６】
本発明の他の実施例の特徴によれば、使い捨てペーパ・ロールを使用する方法において、（ａ）  使い捨てのペーパ・ロールを用意するステップと、（ｂ）  前記使い捨てペーパ・ロールを使い捨てペーパロール保持用ディスペンサに搭載するステップと、（ｃ）  前記使い捨てペーパ・ロールから、紙片を取り出すステップとを有することを特徴とする使い捨てペーパロールを使用する方法である。前記ペーパ・ロールは、（ｉ）  中心軸を有する剛体材料製の内筒と、（ｉｉ）  前記内筒上に重ねて巻かれる少なくとも２枚のペーパ片とを有する。前記内筒の中心軸に直交する断面は、その長さ方向に渡って円形であり、前記ペーパ片の１つが取り除かれた時に、前記ペーパ・ロールは回転し、（Ａ）前記ペーパ片は、円筒状で、前記内筒の中心軸の周囲で螺旋状の断面を有し、（Ｂ）前記ペーパ片は、その幅方向では、完全にオーバーラップし、（Ｃ）前記ペーパ片は、その長さ方向では、隣接するペーパ片に部分的にオーバーラップする。
【実施例】
【００１７】
本発明は、衛生手ふきペーパのロール特にペーパを引き裂いたり破ったりすることなく、ロールからペーパの一部（紙片）を取り出せる使い捨て衛生ペーパ・ロールに関する。この本発明の一実施例による使い捨て衛生ペーパ・ロールを試験した結果、本発明は十分なニーズを満たすことがわかった。
【００１８】
図３aに、本発明の使い捨て衛生ペーパ・ロールの製造段階が示される。複数枚の紙片２１が、台の上で互いにオーバーラップするように配置され、それを内筒１２上に巻き付けて１つのパッケージ（例えば、使い捨て衛生ペーパ・ロール２００）にする。内筒１２は、厚紙を含む様々な材料から形成される。衛生手ふきペーパとして、紙片２１は、次に述べる形状寸法を有する。
【００１９】
１枚の紙片２１の厚さは「t」、幅は「d」、長さは「a」である。オーバーラップした部分の長さは「b」である。紙片２１のオーバーラップはその幅「d」全体に渡る。オーバーラップしない紙片２１の長さは「c」である（従って、ａ＝ｂ＋ｃ）。この長さｃは、ペーパ・ロール２００の引き出しのために、ユーザーが、指の間で適宜掴むことのできる長さである。紙片２１は、図１に示すのと同様に、１本あるいは複数本の切り取り孔ライン１１を有する。しかし切り取り孔ラインは特になくてもよい。
【００２０】
図３ａに示すように、ペーパ片（紙片）は、オーバーラップして、即ち「c」だけずらして互いの上に重ねて配置される。その結果、ペーパ片が内筒１２から離れると、その中にある層はさらに高くなる。この構成が本発明のペーパ・ロール２００のパッケージとなる。このパッケージは、「内巻きパッケージ」と称する。「内巻きパッケージ」では、取り出されるペーパ片は、内側から順に取り出される。
【００２１】
図３bは、本発明の他の実施例によるペーパ・ロール２００の製造段階を示す。この段階は、図３aと紙片の配置以外は同一である。かくしてペーパ片が内筒１２から伸びると、その次の紙片は前の紙片の下に配置される。この構成が、本発明のペーパ・ロール２００のパッケージとなる。このパッケージは、「外巻きパッケージ」と称する。「外巻きパッケージ」では、取り出されるペーパ片は、外側から順に取り出される。
【００２２】
「内巻きパッケージ」と「外巻きパッケージ」の両方とも、ペーパ・ロール２００全体を通して、等しいオーバーラップ長さを有する。あるいは紙片２１の場所により、異なるオーバーラップ長さを有する。紙片２１のペーパ片の長さ（ａ）とこのペーパ片が互いにオーバーラップする長さ（ｂ）は、試行錯誤で決めることができる。
【００２３】
図４は、「内巻きパッケージ」である本発明のペーパ・ロール２００内の複数個の紙片２１の外側を示す。重力の方向を「g」で示す。同図に示すように、紙片２１cは、横から見た時にはほぼ円形をしている。紙片２１aの上に一つの層が巻かれ場合は、紙片２１bがさらなる層として巻かれる。紙片２１aと紙片２１bのそれぞれのある部分は、重力面で、ペーパ・ロール２００上にかかる。この部分の長さは、中心軸に関しペーパ・ロール２００の慣性回転角に依存する。次に取り除かれるべき次のペーパ片は、垂れ下がった長さが最も長いものであり、この実施例では、紙片２１aである。下方向あるいは他の適宜の方向に、ペーパの次の片を引くことにより、ロール２００は、ペーパの次の片が取り除かれるまで、その軸を中心に回転する。
【００２４】
図５は、ペーパ・ロール２００にかかる力と慣性を示す側面図である。引っ張り力Ｔが紙片２１aにかかると、慣性力Ｍが生まれる。これによりペーパ・ロール２００は、中心軸Ｏの周囲を回転する。慣性力Ｍの大きさは、引っ張り力Ｔの大きさとロールの外径ｒに依存する。ただし、紙片２１aとペーパ・ロール２００との間に、滑り動作が無いことが条件である。この滑り動作を防止するために、紙片２１aは、必要な慣性力Ｍをペーパ・ロール２００にかけて、引っ張り動作に対応した速度で、ペーパ・ロール２００を回転させる。
【００２５】
紙片２１aがペーパ・ロール２００にかける幾つかの力が存在する。この力には、静電気力と接着力があるが、主な力は摩擦力である。摩擦力は、摩擦係数とペーパ・ロール２００と紙片２１aの接点の法線方向の力に依存する。同図は、重力の方向の軸に対しアルファ（alpha）の角度で接点上にかかる法線方向の力Ｆｎを示す。様々な大きさの法線方向の力が、次に引き出されるペーパ片である紙片２１aとペーパ・ロール２００との間の接点の全領域にかかり、そして全ての力が、ペーパ・ロール２００の中心軸から半径ｒの点にかかる。これらの力を積分して得た力が、慣性力Ｍの大きさを決定する。法線方向の力の主要な源は、紙片２１自体の重さである。
【００２６】
図６は、ペーパ・ロール２００にかかる法線方向の力を増加させるために、スプリング１５を具備したトイレット・ペーパ・ディスペンサ１０１内に配置される本発明のペーパ・ロール２００を表わす図である。同図によれば、スプリング１５は、ディスペンサのベース１４とアーム１３との間に配置される。ペーパ・ロール２００にかかる法線方向の力を増加させる利点は、図３a、３bに示すように、小さな法線方向の力の場合に必要とされる長さよりも短い長さの紙片２１の使用が可能となることである。
【００２７】
図７は、法線方向の力を増加させるために、ペーパ・ロール２００の上に重しが載せられた本発明の一実施例のペーパ・ロール２００を示す。重しを載せる利点は、図６のペーパ・ロール２００の場合と同じである。この場合、重しは、紙片がペーパ・ロール２００から切り取られる場所に（スプリングの場合よりも）近くにあり、これにより、より短い紙片２１の使用が可能となる。ここに示した重しは、円筒状重し１６である。この円筒状重し１６のペーパ・ロール２００からの距離は、ペーパ・ロール２００の変化する半径によって決定される。すなわち紙片２１が消費されると、その半径は減少する。円筒状重し１６が、その軸の周囲に回転できることにより、紙片２１の動きを干渉することなくペーパ・ロール２００のより良好な動きが可能となる。
【００２８】
図６、７に示すような法線方向の力を増加させる装置は、「内巻きパッケージ」、「外巻きパッケージ」の両方に有効である。
【００２９】
図８は、「内巻きパッケージ」の本発明のペーパ・ロール２００を示す。同図によれば、ペーパ・ロール２００から引き出され、切り取られる最初の片である第１紙片２３とそれに続く次の第２紙片２４が示される。
【００３０】
テスト結果によれば、「内巻き」と「外巻き」は、本発明が満たすべきニーズを満たすのに必要な十分な機能品質を備えている。１回のテストで、ペーパ・ロール２００の品質の全てを決定できる。例えば、ペーパの各片の形状寸法、ペーパ・ロール２００の形状寸法、衛生手ふきペーパの片の材料と肌触りを決定できる。
【００３１】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解のために付したものであり、発明を限定的に解釈するために用いてはならない。また、同一番号でも明細書と特許請求の範囲の部品名は必ずしも同一ではない。これは上記した理由による。
【図面の簡単な説明】
【００３２】
【図１】従来技術に係る標準のトイレット・ペーパ・ディスペンサ内に配置されたトイレット・ペーパのロールを示す図。
【図２】従来技術に係るカッターが上に配置されるペーパ・ロールを示す図。
【図３ａ】本発明の一実施例によるペーパ・ロールの製造プロセスのある段階を示す図。
【図３ｂ】本発明の一実施例によるペーパ・ロールの製造プロセスのある段階を示す図。
【図４】本発明の一実施例による衛生ペーパ・ロールの外側の片を表わす図。
【図５】ペーパ・ロールにかかる力と慣性を表わす図。
【図６】本発明の一実施例によるペーパ・ロールが、ペーパ・ロールにかかる法線方向の力を増加させるようなスプリングを具備したトイレット・ペーパ・ディスペンサ内に配置された状態を表わす図。
【図７】本発明の一実施例により、法線方向の力を増加させるために、円筒状重しが配置されたペーパ・ロールを表わす図。
【図８】本発明の一実施例によるペーパ・ロールが「内巻きパッケージ」によりパッケージされた状態を表わす図。
【符号の説明】
【００３３】
１０    トイレット・ペーパ
１１    切り取り孔ライン
１２    内筒
１３    アーム
１４    ベース
１５    スプリング
１６    円筒状重し
２０    カッター
２１    紙片
２３    第１紙片
２４    第２紙片
１００  トイレット・ペーパ・ロール
１０１  トイレット・ペーパ・ディスペンサ
２００  使い捨て衛生ペーパ・ロール
【図１】
2010508871.tif 000003
【図２】
2010508871.tif 000004
【図３ａ】
2010508871.tif 000005
【図３ｂ】
2010508871.tif 000006
【図４】
2010508871.tif 000007
【図５】
2010508871.tif 000008
【図６】
2010508871.tif 000009
【図７】
2010508871.tif 000010
【図８】
2010508871.tif 000011